(57)【要約】      （修正有）【課題】洋傘ドーム内に吹き込んで来た暴風をドーム外へと大量に放出でき、軽量で簡単に全開できるとともに、ドーム内への漏水を防止できる暴風雨対応洋傘を提供する。【解決手段】親骨と受骨８本のビニ−ル製の洋傘ド−ムは上部ド−ムと下部ド−ムに別れた２重構造で、下部ド−ムの天井に暴風を大量に放出する円形の穴４を幾つも設ける。親骨と受骨ジョイント部位９の下部に位置する、上部ド−ム下部外周縁の暴風放出ラインと下部ド−ムの暴風放出ラインは同一ラインであり、親骨と受骨ジョイント部位と下部ド−ムの暴風放出ラインの中間には漏水を防止する帯状ギャザ−１３を設ける。また、上部ド−ムの下部外周縁の暴風放出ラインと下部ド−ムの暴風放出ラインは、複数の位置５でピンポイント融着されている。【選択図】図４
0003208280.tif 000002
【実用新案登録請求の範囲】
【請求項１】
ビニール製洋傘ドーム天井に破綻し難い円形の形状の、洋傘ドーム天井エリアのバランスを調整キープする効果の、幾つもの暴風スルー暴風流入暴風放出ドーム天井吹抜け円形空間を設けた構造の暴風雨対応洋傘。
【請求項２】
洋傘ドーム８分の１パーツ三角パネル全部の暴風スルー暴風流入暴風放出ドーム天井吹抜け円形空間エリアの親骨寄り両サイド一部と、その上部に被さった暴風雨の侵入漏水をガード防止する８分の１パーツ三角パネル部分の親骨寄り両サイド一部は各親骨８本に同時固着した構造を特徴とする請求項１記載の暴風雨対応洋傘。
【請求項３】
洋傘ドーム８分の１パーツ三角パネル全部の暴風スルー暴風放出ライン上部に漏水をガード防止する帯状ギャザーを設けた構造を特徴とする請求項１記載の暴風雨対応洋傘。
【請求項４】
洋傘ドーム８分の１パーツ三角パネル部分、下部外周縁と、ビニール製洋傘ドーム８分の１パーツ三角パネル全部の、暴風スルー暴風放出ライン上下のビニールはピンポイント融着した構造を特徴とする請求項１記載の暴風雨対応洋傘。
【請求項５】
洋傘ドーム８分の１パーツ三角パネル全部の暴風スルー暴風放出ライン両サイド一部と、洋傘ドーム８分の１パーツ三角パネル部分、下部外周縁の暴風スルー暴風放出ライン両サイド一部は各親骨８本に同時固着した構造を特徴とする請求項１記載の暴風雨対応洋傘。
【考案の詳細な説明】
【技術分野】
【０００１】本考案は暴風雨対応洋傘のファンクション構造に関わる。
【背景技術】
【０００２】暴風雨対応洋傘は６社６種類がマーケットに流通しています。その内１種類は流体力学を応用して暴風を受け流す構造の暴風雨対応洋傘です。しかし洋傘ド‐ム内に暴風が吹き込んで来た時の最重要項目リスク回避の説明が明記されていない。後の３種類は暴風雨に負けない頑丈な暴風雨対応洋傘です。しかし頑丈な構造がリスクで、洋傘ド‐ム内に暴風が吹き込んで来た時の最重要項目リスク回避の説明が明記されていない。残りの２種類は洋傘ドーム内に吹き込んで来た暴風を洋傘ドーム外へと暴風スルー暴風を放出する構造の暴風雨対応洋傘で、その内一種類は暴風スルー暴風放出量が微量で暴風を殆ど放出できない。もう一種類は暴風スルー大量に暴風を放出できる。しかし暴風スルー暴風放出ラインが分断された上下別々２重構造なので漏水の恐れがあり漏水をガード防止する構造が必要です。両方共、洋傘が重く洋傘の全開は手動式で、全開する時に体育会的な強い腕力が必要で腕力の弱い人は一苦労するでしよう。悪い環境の暴風雨の中で重い洋傘を使用する時、子供や女性や高齢者や体力に自信の無い人には大変で長い時間の使用は困難で無理でしょう。
【考案の概要】
【考案が解決しようとする課題】
【０００３】ビニール製洋傘ド‐ム内に吹き込んで来た暴風を洋傘ド‐ム外へと暴風スルー暴風を大量に放出が可能で、類似品の暴風雨対応洋傘より軽くて、洋傘の全開は簡単に全開できる暴風雨対応洋傘。暴風雨の侵入漏水をガード防止する構造の暴風雨対応洋傘。【０００４】ビニール製洋傘ド‐ム内に吹き込んで来た暴風を洋傘ド‐ム外へと暴風スル‐暴風を大量に放出できる暴風スルー暴風流入暴風放出ドーム天井吹抜け円形空間構造の、安心安全な暴風雨対応洋傘が希求される。【０００５】軽量で、片手で簡単ワンタッチ自動式全開の暴風雨対応洋傘が希求される。【０００６】ビニール製洋傘ドームの暴風スルー暴風放出ラインが上下別々分断されていないシームレス洋傘ドームの、漏水をガード防止する構造の暴風雨対応洋傘が希求される。【０００７】ビニール製洋傘ドーム上下別々シームレス構造の暴風スルー暴風放出ライン下部ビニール上部に、漏水をガード防止する帯状ギャザーを設けた暴風雨対応洋傘が希求される。【０００８】ビニール製洋傘ドーム上下別々シームレス構造の暴風スルー暴風放出ライン上下ビニールをピイポイント融着した暴風雨対応洋傘が希求される。
【考案の効果】
【０００９】本考案の暴風雨対応洋傘は暴風スルー暴風流入暴風放出ドーム天井吹抜け円形空間を洋傘ドーム天井に幾つも設けて、洋傘ド‐ム内に吹き込んで来た暴風を洋傘ド‐ム外へと暴風スル‐暴風を大量に放出できます。よって暴風の風圧力で洋傘が逆さ傘になって破損びしょ濡れになったり、暴風の風圧力で洋傘が吹き飛ばされて紛失びしょ濡れになる心配のない安心安全な暴風雨対応洋傘です。【００１０】本考案の暴風雨対応洋傘は洋傘ドームのシームレス化に必要なドーム天井吹抜け空間を破綻し難い円形の形状にしてドーム天井のバランスをキープする暴風雨対応洋傘です。【００１１】本考案の暴風雨対応洋傘は暴風の風圧力で破損したり、暴風の風圧力で吹き飛ばされて紛失したりしません。よって再購入不要の経済的な暴風雨対応洋傘です。【００１２】本考案の暴風雨対応洋傘は使い捨てビニール製洋傘ではなく長期間使用可能の暴風雨対応洋傘です。よって無数の破損放置されたビニール製洋傘の廃品回収費用削減やビニール部位焼却費用削減や骨組不燃物埋立費用削減マクロ全国的規模で積算した巨額の費用対効果ゼロ巨額の公費支出抑制、公益に貢献します。またビニール部位焼却ＣＯ２排出量抑制や骨組不燃物埋立での土地荒廃抑制ｅｃｏ環境保全、公益に貢献します。【００１３】本考案の暴風雨対応洋傘の骨組は軽くて丈夫なグラスファイバー各パーツは小型化で現在マ‐ケットに流通している類似品２社２種類の暴風雨対応洋傘の重量より軽量で洋傘の全開は片手にバッグや手荷物を携帯していてもワンタッチ片手で簡単に操作して全開できます。よって子供や女性や高齢者や体力に自信のない人でも長い時間、携帯使用できます。【００１４】本考案の暴風雨対応洋傘は洋傘ドーム上部の各親骨８本の両サイドに暴風スルー暴風流入暴風放出ドーム天井吹抜け円形空間を幾つも設けて、その暴風スルー暴風流入暴風放出ドーム天井吹抜け円形空間エリアと、そのエリア下部に漏水をガード防止する帯状ギャザーを設けた上部に、洋傘ドーム８分の１パーツ三角パネル部分を被せて、洋傘ドーム８分の１パーツ三角パネル全部の両サイド一部と、洋傘ドーム８分の１パーツ三角パネル部分の両サイド一部を各親骨８本に同時固着して、暴風雨の侵入漏水を防止して、洋傘ドーム上下別々ドームの暴風スルー暴風放出ライン下部ドームのシームレス化で、漏水ガード防止効果に貢献します。【００１５】本考案の暴風雨対応洋傘は洋傘ドーム８分の１パーツ三角パネル全部の暴風スルー暴風放出ライン上部に、帯状ギャザーを設けて、漏水ガード防止効果に貢献します。【００１６】本考案の暴風雨対応洋傘はビニール製洋傘ドーム８分の１パーツ三角パネル部分、下部外周縁の一部と、ビニール製洋傘ドーム８分の１パーツ三角パネル全部の一部は上下ピンポイント融着して、横幅短縮で洋傘ドーム内への漏水ガード防止効果に貢献します。
【図面の簡単な説明】
【００１７】
【図１】ビニール製洋傘ドーム８分の１パーツ三角パネル部分側面図
【図２】ビニール製洋傘ドーム上部の各親骨８本の両サイドに幾つもの暴風スルー暴風流入暴風放出ドーム天井吹抜け円形空間と、そのエリア下部に漏水ガード防止の帯状ギャザーを設けたビニール製洋傘ドーム８分の１パーツ三角パネル全部側面図
【図３】上記［図２］暴風スルー暴風流入暴風放出ドーム天井吹抜け円形空間エリアと、そのエリア下部に漏水ガード防止の帯状ギャザーを設けた上部に、上記［図１］ビニール製洋傘ドーム８分の１パーツ三角パネル部分を被せて、洋傘ドーム８分の１パーツ三角パネル全部の両サイド一部と、洋傘ドーム８分の１パーツ三角パネル部分の両サイド一部が親骨に同時固着して、８分の１パーツ三角パネル全部の両サイド一部と、８分の１パーツ三角パネル部分、下部外周縁の両サイド一部が親骨に同時固着して、暴風スルー暴風放出ライン下部ビニール上部に、漏水ガード防止の帯状ギャザーを設けて、暴風スルー暴風放出ライン上下のビニールをピンポイント融着した８分の１パーツ三角パネル全部完成側面図
【図４】親骨８本の透明ビニール製洋傘ドームを石突部位の真上から視た全部完成平面図
【符号の説明】
【００１８】  １・・洋傘ドーム８分の１パーツ三角パネル全部、上部の、暴風スルー暴風流入暴風放出ドーム天井吹抜け円形空間エリアと、そのエリア下部に漏水をガード防止する帯状ギャザーを設けた上部に被せて、暴風の侵入漏水をガード防止するビニール製洋傘ドーム８分の１パーツ三角パネル部分
２・・洋傘ドーム上部の各親骨８本の両サイドに幾つもの暴風スルー暴風流入暴風放出ドーム天井吹抜け円形空間と、暴風スルー暴風放出ライン上部に漏水ガード防止帯状ギャザーを設けたビニール製洋傘ドーム８分の１パーツ三角パネル全部
３・・洋傘ドーム８分の１パーツ三角パネル全部、上部の暴風スルー暴風流入暴風放出ドーム天井吹抜け円形空間エリアと、そのエリア下部に漏水ガード防止の帯状ギャザーを設けた上部に、ビニール製洋傘ドーム８分の１パーツ三角パネル部分が被さって、ビニール製洋傘ドーム８分の１パーツ三角パネル全部の両サイド一部と、ビニール製洋傘ドーム８分の１パーツ三角パネル部分の両サイド一部が親骨に同時固着して、洋傘ドーム８分の１パーツ三角パネル全部の両サイド一部と、洋傘ドーム８分の１パーツ三角パネル部分、下部外周縁の両サイド一部は各親骨に同時固着して、暴風スルー暴風放出ライン上下のビニールがピンポイント融着した洋傘ドームのビニールが上下別々の下部ビニールがエンドレス２重構造部分
４・・暴風スルー暴風流入暴風放出ドーム天井吹抜け円形空間部位
５・・洋傘ドーム８分の１パーツ三角パネル部分、下部外周縁と、洋傘ドーム８分の１パーツ三角パネル全部の暴風スルー暴風放出ラインのピンポイント融着部位
６・・洋傘ドーム８分の１パーツ三角パネル部分、下部外周縁、折返し２重部位
７・・洋傘ドーム８分の１パーツ三角パネル全部、下部外周縁、折返し２重部位
８・・露先部位
９・・親骨と受骨ジョイント部位
１０・・親骨部位
１１・・洋傘ドーム８分の１パーツ三角パネル全部の暴風スルー暴風流入暴風放出ドーム天井吹抜け円形空間エリア親骨寄り両サイド一部と、洋傘ドーム８分の１パーツ三角パネル部分の親骨寄り両サイド一部は各親骨８本に同時固着部位
１２・・洋傘ドーム８分の１パーツ三角パネル全部の両サイド一部と、洋傘ドーム８分の１パーツ三角パネル部分、下部外周縁の両サイド一部は各親骨８本に同時固着部位
１３・・漏水をガード防止する帯状ギャザー・ライン部位
１４・・石突部位
【図１】
0003208280.tif 000003
【図２】
0003208280.tif 000004
【図３】
0003208280.tif 000005
【図４】
0003208280.tif 000006
【手続補正書】
【提出日】平成28年10月13日(2016.10.13)
【手続補正１】
【補正対象書類名】実用新案登録請求の範囲
【補正対象項目名】全文
【補正方法】変更
【補正の内容】
【実用新案登録請求の範囲】
【請求項１】
親骨と受骨８本のビニ−ル製の洋傘ド−ムは上部ド−ムと下部ド−ムに別れた上下別々の２重構造で、下部ド−ムの天井に暴風を大量に放出する円形の穴を幾つも設けた暴風雨対応洋傘。
【請求項２】
親骨と受骨ジョイント部位下部の、上部ド−ム下部外周縁の暴風を放出するラインと下部ド−ムの暴風を放出するラインは同一ラインで、親骨と受骨ジョイント部位と下部ド−ムの暴風を放出するラインの中間に漏水をガ−ド防止する帯状ギャザ−を設けた構造を特徴とする請求項１記載の暴風雨対応洋傘。
【請求項３】
親骨と受骨ジョイント部位下部の、上部ド−ム下部外周縁の暴風を放出するラインと下部ド−ムの暴風を放出するラインは同一ラインで、上部ド−ム下部外周縁の暴風を放出するラインと下部ド−ムの暴風を放出するラインは幾つもピンポイント融着した構造を特徴とする請求項１記載の暴風雨対応洋傘。
【請求項４】
親骨に上部ド−ム下部外周縁の一部を固着する部位と、親骨に下部ド−ムの暴風を放出するラインの一部を固着する部位は同一部位で、上部ド−ム下部外周縁の一部を固着する部位と下部ド−ムの暴風を放出するラインの一部を固着する部位は各親骨８本に同時固着した構造を特徴とする請求項１記載の暴風雨対応洋傘。
【請求項５】
親骨に上部ド−ム天井の一部を固着する部位と、親骨に下部ド−ム天井の一部を固着する部位は同一部位で、上部ド−ム天井の一部を固着する部位と下部ド−ム天井の一部を固着する部位は各親骨８本に同時固着した構造を特徴とする請求項１記載の暴風雨対応洋傘。